(57)【要約】【課題】  被検者に提示する固視目標の位置を、被検者が注視しているかを容易に判別可能な眼科撮影装置を提供する。【解決手段】  被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の視線を誘導する固視目標を提示する固視目標提示手段と、前記固視目標を強調表示する固視目標強調手段と、観察画像の階調変換を行う画像処理部と、前記画像処理部で用いる階調変換を設定する階調設定部を有し、前記固視目標強調手段により固視目標を強調表示している間は階調変換の設定を変更する階調変更手段とを有することを特徴とする。【選択図】        図１
2005087608.tif 000002
【特許請求の範囲】
【請求項１】
被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の視線を誘導する固視目標を提示する固視目標提示手段と、前記固視目標を強調表示する固視目標強調手段と、観察画像の階調変換を行う画像処理部と、前記画像処理部で用いる階調変換を設定する階調設定部を有し、前記固視目標強調手段により固視目標を強調表示している間は階調変換の設定を変更することを特徴とする眼科撮影装置。
【請求項２】
被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の視線を誘導する固視目標を提示する固視目標提示手段と、前記固視目標を移動操作する固視目標移動手段と、観察画像の階調変換を行う画像処理部と、前記画像処理部で用いる階調変換を設定する階調設定部を有し、前記固視目標移動手段により固視目標を移動操作している間は階調変換の設定を変更することを特徴とする眼科撮影装置。
【発明の詳細な説明】
【技術分野】
【０００１】
本発明は眼科撮影装置に関し、特に、集団検診等で用いられる眼底カメラ等の眼科装置に関するものである。
【背景技術】
【０００２】
糖尿病や高血圧症に代表される成人病の特徴として循環器系疾患が挙げられ、これら疾患の検査方法として従来から眼底撮影が行われている。眼底撮影においては、所望の部位を撮影するために、被検眼に固視目標を提示して被検者の視線を誘導し、観察画面上で被検者が固視目標を注視しているかを確認した後撮影を行っている。上記固視目標に関しては、固視目標を強調表示することで被検者の注意を促し、固視を確実に行わせるようにした眼科装置が提案されている（下記、特許文献１参照。）。
【特許文献１】特開平１１−１０４０８５号公報
【発明の開示】
【発明が解決しようとする課題】
【０００３】
しかしながら、被検眼眼底の状態を確認するための観察画面上ではもともと赤外像であるため、画質が不鮮明であり、特に画面上では暗い領域として表示される黄斑部分は確認が困難である。したがって、固視目標自体は強調表示したとしても被検者が固視目標を注視しているかを確認することが難しく、結果として不本意な画像が撮影されてしまうことがあった。
【０００４】
本発明の目的は、上述の問題点を解消し、被検者に提示する固視目標の位置を被検者が注視しているかを容易に判別可能な眼科撮影装置を提供することにある。
【課題を解決するための手段】
【０００５】
上記目的を達成するための本発明に係る眼底カメラは、被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の視線を誘導する固視目標を提示する固視目標提示手段と、前記固視目標を強調表示する固視目標強調手段と、観察画像の階調変換を行う画像処理部と、前記画像処理部で用いる階調変換を設定する階調設定部を有し、前記固視目標強調手段により固視目標を強調表示している間は階調変換の設定を変更することを特徴とする。
【０００６】
また、被検眼の前眼部を観察する前眼部観察手段と、被検眼の眼底像を観察する眼底観察手段と、前記前眼部観察手段による前眼部観察状態と前記眼底観察手段による眼底観察状態を切換える切換手段と、被検眼の視線を誘導する固視目標を提示する固視目標提示手段と、前記固視目標を移動操作する固視目標移動手段と、観察画像の階調変換を行う画像処理部と、前記画像処理部で用いる階調変換を設定する階調設定部を有し、前記固視目標移動手段により固視目標を移動操作している間は階調変換の設定を変更することを特徴とする。
【発明の効果】
【０００７】
本発明によれば、固視目標を強調表示している間は、ＬＵＴを変更し、観察画像用モニタに映し出される眼底画像の入力濃度レベルの低い部分、つまり、黄斑部がはっきりと見えるようにしているため、被検者が固視目標を注視しているかを容易に判別することができ、効率的に撮影ができる。
【発明を実施するための最良の形態】
【０００８】
以下に、本発明を実施するための最良の形態を実施例に基づいて、図面を参照しながら詳細に説明する。
【実施例】
【０００９】
図１は本実施例の装置構成図を示し、被検眼Ｅに対向する対物レンズ１の後方の光路０１上に、孔部に撮影絞りを有する孔空きミラー２、光路０１方向に移動してピントを調整するフォーカスレンズ３、撮影レンズ４、観察時には光路０１内にあり撮影の瞬間に光路０１外に離脱する切換えミラー５が順次配置されている。また、対物レンズ１と孔空きミラー２の間には、光路０１中に挿脱自在な前眼部観察レンズ６が配置され、対物レンズ１の近傍には赤外光を発する前眼部照明用光源７が配置されている。
【００１０】
孔空きミラー２の光路０１に垂直な光路０２上には、眼底照明系８が配置されており、眼底照明系８は眼底観察時には赤外光を、眼底撮影時には可視光を眼底に照射するようになっている。
【００１１】
切換えミラー５の後方の光路上には、撮影用センサーユニット９が配置され、撮影画像記録部１０に接続されている。撮影画像記録部１０は撮影画像用モニタ１１に接続されている。
【００１２】
切換えミラー５の反射方向の光路上には、レンズ１２、ハーフミラー１３が配置されている。
【００１３】
ハーフミラー１３の透過方向の光路上には、観察用センサーユニット１４が配置され、観察画像処理部１５に接続され、観察画像処理部１５は、観察画像用モニタ１６、ＬＵＴ設定部１７に接続されている。
【００１４】
ハーフミラー１３の反射方向の光路上には、レンズ１８、固視目標を表示する固視目標提示部１９が配置されており、固視目標提示部１９は固視目標制御部２０に接続されている。
【００１５】
固視目標提示部１９は、バックライト及び図２に示すような複数個のセルがマトリックス状に配置された液晶素子で構成されており、個々のセルの透過／不透過を設定可能である。
【００１６】
制御部２１は、切換えミラー５、前眼部観察レンズ６、ＬＵＴ設定部１７、固視目標制御部２０、前眼部／眼底切換えスイッチ２２、固視目標強調スイッチ２３、固視目標移動スイッチ２４、撮影スイッチ２５に接続されている。
【００１７】
このような構成において、撮影者はまず前眼観察状態において被検眼Ｅと対物レンズ１の概略位置合わせを行う。
【００１８】
前眼部観察状態では、前眼部観察レンズ６が光路０１内に挿入され、前眼部照明用光源７が点灯し、切換えミラー５は光路０１内に配置されている。この状態で、前眼部照明用光源７により赤外光照明された前眼部像は、対物レンズ１、前眼部観察レンズ６、孔空きミラー２の孔部、フォーカスレンズ３、撮影レンズ４を通り、切換えミラー５により反射され、レンズ１２を通り、ハーフミラー１３を透過し、観察用センサーユニット１４の撮像面に結像し、観察用センサーユニット１４で光電変換された前眼部画像が、ＬＵＴ設定部１７で設定されたＬＵＴを用いて観察画像処理部１５により階調変換され、観察用モニタ１６に映し出される。前眼観察状態では、概略の位置合わせを行うことができればよいので、例えば図２に示すようなＬＵＴを使用し、階調を変換しなくても良い。
【００１９】
撮影者は、この前眼部画像を見ながら、図１に示した光学系を搭載した図示しないステージ部等を移動することにより位置合わせを行う。
【００２０】
このようにして、被検眼Ｅと対物レンズ１の位置合わせを完了した後に、前眼部／眼底切換えスイッチ２２を押下すると、この入力を検知した制御部２１により、前眼部照明用光源７は消灯され、前眼部観察レンズ６は光路０１外に退避され、眼底照明系８は赤外光を発する。眼底照明系８を発した赤外光束は、孔空きミラー２の周辺のミラー部で反射し、対物レンズ１を介して瞳孔Ｅｐから眼底Ｅｒを照明する。照明された眼底像は、瞳孔Ｅｐから対物レンズ１、孔空きミラー２の孔部、フォーカスレンズ３、撮影レンズ４を通り、切換えミラー５により反射され、レンズ１２を通り、ハーフミラー１３を透過し、観察用センサーユニット１４の撮像面に結像し、観察用センサーユニット１４で光電変換された眼底画像が、ＬＵＴ設定部１７で設定されたＬＵＴを用いて観察画像処理部１５により階調変換され、観察画像用モニタ１６に映し出される。眼底観察状態では、図５に示す視神経乳頭部は、濃度レベルが高く（明るい）、黄斑部は濃度レベルが低く（暗い）なっており、濃度レベルの高い視神経乳頭から濃度レベルの低い黄斑部まで観察できるように、例えば図２に示すような線形のＬＵＴを使用する。また、Ｓ字形のＬＵＴを使用しても良い。
【００２１】
これらの制御と共に、制御部２１は固視目標制御部２０を介して固視目標提示部１９のバックライトを点灯し、液晶素子の予め決められたセルのみを透過状態として、被検眼Ｅに固視目標を提示する。図３に示すように、透過と設定されたセルを開口部Ａ、不透過と設定されたセルを遮光部Ｂとすると、バックライトを発した光の内、開口部Ａを透過した光は、レンズ１８を通り、ハーフミラー１３により反射され、レンズ１２を通り、切換えミラー５により反射され、撮影レンズ４、フォーカスレンズ３、孔空きミラー２の孔部、対物レンズ１を通り、被検眼Ｅの瞳孔Ｅｐから眼底Ｅｒに達する。即ち、対物レンズ１の光路０１上に瞳孔Ｅｐを配置した被検者には、暗黒の背景の中に開口部Ａの像が固視目標として提示される。固視目標は被検者の視線が定まる大きさで表示することが求められるので、例えば、図４に示すような４つのセルを透過状態にして固視目標を提示する。
【００２２】
また、図５に示すように、被検者に提示する固視目標の提示位置を示すキャラクタＳが図示しないキャラクタ合成部により眼底画像と合成されて観察用モニタ１６に映し出される。
【００２３】
撮影者は、観察画像用モニタ１６に映し出された眼底画像及び固視目標の提示位置を示すキャラクタＳを見ながら、固視目標移動スイッチ２４を操作することにより、固視目標の提示位置を移動し、所望の部位が撮影できるように被検者の視線を誘導する。この時、図５に示すキャラクタＳと黄斑部が一致していることにより、被検者が固視目標を注視していることが確認する。
【００２４】
被検者に白内障等の混濁がある場合や、例えば図示しない既知のフォーカス用の視標が被検者に見えるような場合には、図４に示すような固視目標を提示しただけでは、被検者が固視目標を見付け難い事がある。
【００２５】
このような場合には、撮影者が固視目標強調スイッチ２３を押下すると、この入力を検知した制御部２１は、ＬＵＴ設定部１７に図７に示すように、図２のＬＵＴに比較して、黄斑部に相当する濃度レベルの低い部分の階調を増やすようなＬＵＴを設定する。眼底観察状態で、Ｓ字形のＬＵＴを使用する場合には、同様に、黄斑部に相当する濃度レベルの低い部分の階調を増やすようなＬＵＴを設定する。同時に、制御部２１は固視目標制御部２０を介して、図４に示すような４つのセルの透過状態と、図６に示すような、図４に示す４つのセルの中心を基準にして拡大した１６個のセルの透過状態を一定時間の間、順次繰り返すように固視目標提示部１９を制御する。そして、制御部２１は、一定時間が経過し固視目標の強調表示を停止した時、ＬＵＴ設定部１７に図７に示すようなＬＵＴに設定し直す。
【００２６】
このように、固視目標を強調表示すると被検者の注意を引き、被検者が容易に固視目標を見付けることができる。なお、固視目標を強調表示する際のスイッチ入力及び固視目標のパターン形状、提示位置等に関しては、前記特許文献１に記載のいずれの方法を用いても良い。更に、観察画像用モニタ１６に映し出される眼底画像は、入力濃度レベルの低い暗い部分、つまり、黄斑部の位置がはっきり見えるため、被検者が固視目標を注視しているか容易に判別できる。
【００２７】
以上の操作により、所望の撮影部位が得られた後に、撮影者は撮影スイッチ２５を押下して眼底撮影を行う。制御部２１は、撮影スイッチ２５の押下を検知すると、切換えミラー５を光路０１外に退避し、同時に眼底照明系８は可視の閃光を発する。この閃光は、孔空きミラー２の周辺のミラー部で反射し、対物レンズ１を介して瞳孔Ｅｐから眼底Ｅｒを照明する。照明された眼底像は、瞳孔Ｅｐから対物レンズ１、孔空きミラー２の孔部、フォーカスレンズ３、撮影レンズ４を通り、撮影用センサーユニット９の撮像面に結像し、撮影用センサーユニット９で光電変換された眼底画像が、撮影画像記録部１０において図示しないメモリ上に記録されるのと同時に、撮影画像用モニタ１１に映し出される。
【００２８】
なお、撮影画像記録部１０において、図示しない記憶媒体に記録しても良いし、ネットワークへ出力しても良い。
【００２９】
上記実施例では、固視目標を強調表示している間、濃度値レベルの低い黄斑部が見易くなるようにＬＵＴを変更するように構成したが、固視目標移動スイッチ２４により固視目標を移動操作している間、濃度値レベルの低い黄斑部が見易くなるようにＬＵＴを変更するように構成しても良い。
【００３０】
上記実施例では、被検眼の観察時、撮影時において各々別々のセンサーユニット、モニタを用いて撮影を行う場合を例に挙げて説明したが、これに限らず、適宜共用するように構成しても良い。
【００３１】
また、上記実施例では、バックライト及び複数個のセルがマトリックス状に配置された液晶素子で固視目標提示部１９を構成したが、大きさの異なる複数個のＬＥＤから成る固視目標光源及び各固視目標光源の位置を制御するモータ等により固視目標提示部を構成しても良い。
【００３２】
本発明は、上記の処理のほとんどがプログラムによって実現できる。ゆえに、本発明は、前述した実施形態の機能を実現するソフトウェアのプログラムコードを記録した記憶媒体をシステムあるいは装置に供給し、そのシステムあるいは装置のコンピュータ（ＣＰＵ又はＭＰＵ）が記憶媒体に格納されたプログラムコードを読み出し実行することによっても実現できるのは勿論である。この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、フロッピー（Ｒ）ディスク、ハードディスク、光ディスク、光磁気ディスク、ＣＤ−ＲＯＭ、磁気テープ、不揮発性のメモリカード、ＲＯＭ等を用いることができる。
【図面の簡単な説明】
【００３３】
【図１】本発明の装置構成図
【図２】ＬＵＴの説明図
【図３】液晶素子の説明図
【図４】液晶素子の説明図
【図５】観察画像用モニタへの固視目標提示に関する説明図
【図６】液晶素子の説明図
【図７】ＬＵＴの説明図
【符号の説明】
【００３４】
０１、０２  光路
１  対物レンズ
２  孔空きミラー
３  フォーカスレンズ
４  撮影レンズ
５  切換えミラー
６  前眼部観察レンズ
７  前眼部照明用光源
８  眼底照明系
９  撮影用センサーユニット
１０  撮影画像記録部
１１  撮影画像用モニタ
１２  レンズ
１３  ハーフミラー
１４  観察用センサーユニット
１５  観察画像処理部
１６  観察画像用モニタ
１７  ＬＵＴ設定部
１８  レンズ
１９  固視目標提示部
２０  固視目標制御部
２１  制御部
２２  前眼部／眼底切換えスイッチ
２３  固視目標強調スイッチ
２４  固視目標移動スイッチ
２５  撮影スイッチ
Ａ  開口部
Ｂ  遮光部
Ｅ  被検眼
Ｅｐ  瞳孔
Ｅｒ  眼底
【図１】
2005087608.tif 000003
【図２】
2005087608.tif 000004
【図７】
2005087608.tif 000005
【図３】
2005087608.tif 000006
【図４】
2005087608.tif 000007
【図５】
2005087608.tif 000008
【図６】
2005087608.tif 000009